(57)【要約】【課題】  移動端末の紛失に対して電池切れや圏外へ移動するまでの情報を把握可能にする。【解決手段】  移動端末１００において、移動端末は一定の時間間隔またはハンドオーバーを行い、最適な基地局３００へ位置登録した時に、マイク１６にて取得した周囲の音声を録音する周囲音声録音手段と、その時、受信している基地局の位置情報と日時を記録する経路記録手段を具備し、移動端末の低電圧検出部１５が電池１７の任意の電圧を検知した場合や圏外付近検出部１３が圏外付近を検知した場合に、周囲音声録音部１２および経路記録部１１の情報を、基地局に対して端末の固有情報及び紛失情報理由を付加して送信を行ない、紛失情報は構内通信制御装置４００へ送られ記録され、内線電話機６００より構内通信制御装置へ移動端末を特定する固有情報を受けた場合、音声案内や文字情報にて紛失情報を提供する。【選択図】図１
2008109330.tif 000002
【特許請求の範囲】
【請求項１】
外線及び内線と接続される構内通信制御装置と前記構内通信制御装置に接続される１以上の内線電話機と前記構内通信制御装置に接続される１以上の基地局と前記基地局と無線接続される１以上の移動端末からなる移動端末システムにおいて、
前記移動端末は一定の時間間隔毎または前記移動端末がハンドオーバーを行い最適な前記基地局へ位置登録する毎に前記移動端末に具備されているマイクにより取得した所定時間分の周囲音声を録音する周囲音声録音手段と、前記周囲音声録音手段が動作した時または予め定めた時間が経過する毎または前記移動端末がハンドオーバーを行い新たな基地局へ位置登録する毎に前記移動端末が受信している基地局の位置情報と日時を記録する経路記録手段を具備し、前記移動端末に具備されている電池の電圧があらかじめ設定された閾値より低電圧となったこと検知した場合に、前記周囲音声録音手段及び前記経路記録手段によって記録された情報の全てまたは一部と当該移動端末の固有情報を前記構内通信制御装置へ送信し、
前記構内通信制御装置は前記移動端末から受信した情報を蓄積する紛失端末管理部を具備し、前記内線電話機より前記構内通信制御装置に対して前記移動端末を特定する前記固有情報を含む探索要求を受けた場合、前記紛失端末管理部は音声案内や文字情報にて前記内線電話機に対して当該移動端末から受信した情報を提供することを特徴とする移動端末の探索システム。
【請求項２】
請求項１において、前記移動端末が複数の基地局からの電波を受信可能な場合、前記経路記録手段は、各基地局からの受信電波強度の情報を含めて基地局の位置情報を記録することを特徴とする移動端末の探索システム。
【発明の詳細な説明】
【技術分野】
【０００１】
本発明は、移動端末を紛失後に探索する探索システムに関するものである。
【背景技術】
【０００２】
携帯電話や事業所用の移動端末において移動無線端末を紛失した場合、所持者は紛失した端末に対して着信をかけ、着信音を頼りに移動端末を見つけ出していた。しかしこの場合、所持者と紛失した移動端末との距離が離れていたり、着信音が消音状態であると探し出すことは容易ではなかった。
【０００３】
この改善策として、移動端末のメインバッテリーが補助バッテリーに切替えられると振動検出部が振動の有無を検知し、振動が無い場合移動端末は自動的に紛失状態であると判断し、ＧＰＳや基地局より受信している位置情報（経度/緯度）を所定の端末へ電子メールにて送信する技術がある（例えば特許文献１）。
【０００４】
【特許文献１】特開２００４−２３５７３号公報
【発明の開示】
【発明が解決しようとする課題】
【０００５】
しかしながら、上記の技術の場合、移動端末はＧＰＳ受信機能を有する端末に限定される欠点を有する。
【０００６】
本発明の目的は、移動端末が通常動作可能な内に移動端末が辿ったエリアやその日時・周囲音声等を構内交換機内の紛失情報管理部へ送信しておくことで、紛失後かなりの日時が経ち移動端末が動作できない状態にあっても、紛失した当日の移動エリアや日時・周囲音声の情報を入手することで紛失場所を思い出しやすくするための移動端末の探索システムを提供することにある。
【課題を解決するための手段】
【０００７】
第１の本発明は、外線及び内線と接続される構内通信制御装置と前記構内通信制御装置に接続される１以上の内線電話機と前記構内通信制御装置に接続される１以上の基地局と前記基地局と無線接続される１以上の移動端末からなる移動端末システムにおいて、前記移動端末は一定の時間間隔毎または前記移動端末がハンドオーバーを行い最適な前記基地局へ位置登録する毎に前記移動端末に具備されているマイクにより取得した所定時間分の周囲音声を録音する周囲音声録音手段と、前記周囲音声録音手段が動作した時または予め定めた時間が経過する毎または前記移動端末がハンドオーバーを行い新たな基地局へ位置登録する毎に前記移動端末が受信している基地局の位置情報と日時を記録する経路記録手段を具備し、前記移動端末に具備されている電池の電圧があらかじめ設定された閾値より低電圧となったこと検知した場合に、前記周囲音声録音手段及び前記経路記録手段によって記録された情報の全てまたは一部と当該移動端末の固有情報を前記構内通信制御装置へ送信し、前記構内通信制御装置は前記移動端末から受信した情報を蓄積する紛失端末管理部を具備し、前記内線電話機より前記構内通信制御装置に対して前記移動端末を特定する前記固有情報含む探索要求を受けた場合、前記紛失端末管理部は音声案内や文字情報にて前記内線電話機に対して当該移動端末から受信した情報を提供することを特徴とする。
【０００８】
第２の本発明は、第１の本発明において、前記移動端末が複数の基地局からの電波を受信可能な場合、前記経路記録手段は、各基地局からの受信電波強度の情報を含めて基地局の位置情報を記録することを特徴とする。
【発明の効果】
【０００９】
本発明によれば、移動無線端末の紛失が発覚した時点で既にバッテリー切れや無線端末が圏外にあっても、バッテリー切れまでの端末の移動経路や日時・周囲音声の情報入手することができ、かなりの日時が経過した後でも、紛失した移動端末を発見できる可能性を高められる。
【発明を実施するための最良の形態】
【００１０】
以下、本発明の実施の形態を、図面を参照して説明する。
【００１１】
図１は、本発明による移動端末の探索システムの実施の形態の構成図である。
【００１２】
図１において、移動端末の探索システムは、構内通信制御装置４００とそれに接続される基地局３００と基地局３００と無線接続される移動端末１００と構内通信制御装置４００内部に、移動端末１００より送信された紛失端末情報を記憶し管理を行なう紛失端末管理部５００と紛失した移動端末の検索を行う内線電話機６００からなる。
【００１３】
基地局３００は、移動端末１００との音声通話やデータ通信等の送受信といった周知の機能の他、移動端末１００より送信されてきた紛失情報、固有情報、紛失理由を受信し、そのデータを構内通信制御装置４００へ送信する。固有情報は、任意であるが例えば移動端末に唯一あるＩＤであったり、電話番号、パスワードでも良い。
【００１４】
構内通信制御装置４００は、基地局３００より送られてきた紛失端末情報を紛失端末管理部５００に蓄積し、内線電話機６００より紛失端末の情報要求を受けた場合は、音声案内や文字情報にて内線電話機６００へ情報を送る。
【００１５】
また、移動端末１００から後述する紛失予備警報通知要求を受信後に、移動端末１００より紛失情報を受信した場合は、紛失情報を紛失端末管理部５００へ記録すると同時にあらかじめ指定された１または複数の内線電話機へ音声案内や文字情報にて通知する。
【００１６】
内線電話機６００は、音声通話が可能であったり、表示画面にて文字情報を表示可能な通常の内線電話機であって、紛失端末の探索を行うものである。
【００１７】
構内通信制御装置４００から内線電話機６００へ文字情報にて紛失端末情報が送られた場合の表示例を図２及び図３に示す。
【００１８】
図２は、電池が低電圧状態になった為、紛失端末情報を送った場合の表示例であり、図３は移動端末１００を通信圏外にて紛失した場合の内線電話機６００側へ表示される表示例である。図２及び図３にある、電波強度の数値はわかりやすい文字に置き換えてもよい。例えば、６０ｄＢを『近い』や５５ｄＢを『やや近い』、３５ｄＢを『遠い』等とレベル分けして表示しても良い。
【００１９】
基地局３００は事業所用ＰＨＳ基地局や無線ＬＡＮ通信対応の無線アクセスポイントや携帯電話基地局でも良く、構内通信制御装置４００は、電話交換局や紛失端末を管理するセンター（図示しない）でも良く、内線電話機６００は、一般電話機やＦＡＸ付電話機、携帯電話でも良い。
【００２０】
移動端末１００は、例えば任意の基地局と通信可能な携帯電話、事業所用携帯端末、セキュリティー用端末といった、いわゆる携帯することが可能で使用時には基地局３００を経由して通信が可能な端末であり、経路記録部１１、周囲音声録音部１２、圏外付近検出部１３、低電圧検出部１５、制御部１４、マイク１６、電池１７、無線送受信回路１８（その他一般的に具備されるダイヤルキー、ＬＣＤ等は図示しない）、から構成される移動端末で、制御部１４は一定の間隔時間または移動端末がハンドオーバーを行い、最適な基地局へ位置登録する毎に、マイク１６により周囲の音声を一定の時間取得し、その音声データを周囲音声録音部１２へ入力し、周囲音声録音部１２はその入力した音声を録音する。
【００２１】
この時、周囲音声録音部１２は、留守番電話の音声録音用に搭載されている録音部（図示しない）と兼用しても良い。
【００２２】
また、制御部１４は周囲音声録音部が動作した時または、一定の時間間隔や移動端末１００がハンドオーバーを行い、最適な基地局へ位置登録した時に移動端末１００が受信している基地局の位置情報と移動端末１００内部のカレンダー情報（図示しない）よりその時の日時を経路記録部１１へ出力し、経路記録部１１はその入力した情報を記録する。この時、移動端末１００が１箇所または複数の基地局からの電波が受信可能である場合は、経路記録部は、各基地局からの受信電波強度の情報を含めて基地局の位置情報を記録する。この時、各基地局からの受信電波強度の値を受信電波強度の値が強い基地局から数箇所選びソートを行なって記録しても良い。
【００２３】
圏外付近検出部１３は、無線送受信回路１８より受信している基地局の電波の強弱を常に監視し、移動端末１００が電波状況の悪いところに移動し、その時点で位置登録している基地局以外にハンドオーバー可能な基地局がなく、圏外付近範囲まで電波が弱くなったことを検出した場合に制御部１４によって、経路記録部１１及び周囲音声録音部１２に記録されている情報を集約し、紛失情報の作成を行ない、固有情報、紛失理由である圏外エリアへ移動したという情報を付加し、最適な基地局へデータの送信を行う。
【００２４】
低電圧検出部１５は、電池１７の電池電圧を常に監視し、あらかじめ設定された閾値まで電圧が低くなったことを検出した場合に制御部１４によって、経路記録部１１及び周囲音声録音部１２に記録されている情報を集約し、紛失情報の作成を行ない、固有情報、紛失理由である低電圧検知であるという情報を付加し、最適な基地局へデータの送信を行う。
【００２５】
この時、通知を行なう電池電圧の閾値レベルは任意に変更でき、例えば『高』『中』『低電圧』の３段階に閾値を設けても良い。
【００２６】
また、移動端末１００を紛失する前に、移動端末１００より構内通信制御装置４００に、紛失予備警報通知要求を登録しておくことで、電池電圧レベルがあらかじめ設定された閾値レベルを低電圧検出部１５にて検出すると紛失情報を送信し、紛失情報を受信した基地局３００から構内通信制御装置４００へ送られ、構内通信制御装置内の紛失端末管理部５００にて記録すると同時に構内通信制御装置４００から、あらかじめ紛失予備警報通知要求の設定時に指定された内線電話機６００へ紛失予備警報通知として音声案内や文字情報にて通知しても良い。
【００２７】
次に、本発明による移動端末の探索システムの具体的な利用例を説明する。
【００２８】
図１に示す移動端末の探索システムの構成において、移動端末１００を基地局３００のエリアＤ付近にて紛失し、その後移動端末１００は充電されることなく低電圧状態からバッテリー切れになり、数日後に所持者が内線電話機６００より紛失した移動端末１００を探索し、文字情報にて紛失端末情報、図２を取得する場合について説明する。
【００２９】
移動端末１００が基地局３００のエリアＤにハンドオーバーを行った時、制御部１４は、マイク１６から周囲の音声を一定の時間取得し、その音声データを周囲音声録音部１２へ送信し、周囲音声録音部１２はその受信した音声を録音する。そのとき同時に制御部１４は、基地局３００の電波強度の値を含む位置情報（エリアＤ）と他の基地局の電波強度の値を含む位置情報（エリアＥ）と移動端末内部のカレンダー情報（図示しない）よりその時の日時（例えば７月２５日１６時１５分）を経路記録部１１へ出力し、経路記録部１１はその入力した情報を記録する。
【００３０】
その後移動端末１００は、紛失し低電圧検知（例えば７月２５日２０時２２分）されるまで、一定の時間間隔で周囲音声録音と経路記録の処理を行うが、各記録部のメモリの容量を満たした場合は、古い情報より上書きを行なう。
【００３１】
低電圧検出部１５は、電池１７の電池電圧を監視しており、あらかじめ設定された閾値まで電圧が低くなったことを検出した為、制御部１４は、マイク１６から周囲の音声を一定の時間取得し、その音声データを周囲音声録音部１２へ送信し、周囲音声録音部１２はその受信した音声を録音する。そのとき同時に制御部１４は、基地局３００の電波強度の値を含む位置情報（エリアＤ）と他の基地局の電波強度の値を含む位置情報（エリアＥ）と移動端末内部のカレンダー情報（図示しない）よりその時の日時（例えば７月２５日２０時２２分）を経路記録部１１へ出力し、経路記録部１１はその入力した情報を記録する。そして、制御部１４は、経路記録部１１及び周囲音声録音部１２に記録されている、データに固有情報及び紛失情報を送信した理由、今回の場合、電池低電圧検知であることを付加し、基地局３００へデータの送信を行なう。
【００３２】
移動端末１００より送られてきた情報を受信した基地局３００は、その情報を構内通信制御装置４００へ送信する。
【００３３】
これを受信した構内通信制御装置４００は、移動端末１００の紛失情報の記録を紛失端末管理部５００にて行なう。
【００３４】
数日後、所持者は内線電話機６００より構内通信制御装置４００へ問い合わせを行い固有情報の入力を求められ、紛失端末１００を特定する固有情報の入力を内線電話機６００より行なう。
【００３５】
内線電話機６００より、入力された固有情報と紛失端末に付加された固有情報が一致した場合、構内通信制御装置４００は紛失端末管理部５００から移動端末１００の紛失端末情報を読出し、内線電話機６００に紛失端末情報を送り、図２で記載するような紛失端末情報が内線電話機６００に表示される。
【００３６】
図４は、本発明による移動端末の探索システムの移動端末が紛失情報を送信するまでの動作フローチャートを示す図である。
【００３７】
移動端末１００は、動作中に一定の時間経過したか（Ｓ３０）またはハンドオーバーを行ったか（Ｓ３１）を判断し、どちらかが該当した場合に制御部１４にて周囲音声録音処理を行ない周囲音声を周囲音声録音部１２へ記録し、制御部１４にて経路記録処理を行い基地局の位置情報や日時を経路記録部１１へ記録を行なう（Ｓ３２）。
【００３８】
電池１７の電池電圧低下によって、低電圧検出部１５が低電圧であることを検出または、圏外付近検出部１３によって、移動端末１００が圏外付近に位置していることを検出した場合（Ｓ３３）、制御部１４は、経路記録部１１及び周囲音声録音部１２よりデータを読み出し紛失情報の作成を行ない、移動端末１００の固有情報、紛失理由を付加し（Ｓ３４）データを基地局３００へ送信する（Ｓ３５）。
【００３９】
図５は、本発明による移動端末の探索システムによって移動端末１００より送信された紛失情報を受信し、探索元の内線電話機へ移動端末の紛失情報を送信するまでの動作フローチャートを示す図である。
【００４０】
移動端末１００からの紛失情報を受信した基地局３００は、その情報を構内通信制御装置４００へ送信する。構内通信制御装置４００はその情報を受信し（Ｓ４０）、紛失端末管理部５００にて情報の記録を行なう（Ｓ４１）。
【００４１】
構内通信制御装置４００に対して、他の端末この場合、内線電話機６００より紛失端末の情報要求を受けた場合（Ｓ４２）、その要求元の内線電話機と接続処置を行い（Ｓ４３）、構内通信制御装置４００からは内線電話機６００に対して紛失端末を特定する固有情報の入力を求める（Ｓ４４）。内線電話機６００から固有情報を受信（Ｓ４５）した構内通信制御装置４００は、該当する固有情報の紛失情報があると（Ｓ４６）、紛失端末情報の要求元である内線電話機６００に対して周囲音声情報や経路記録情報を音声案内または文字データにて出力を行なう（Ｓ４７）。
【００４２】
本実施の形態によれば、移動端末紛失後に移動端末がバッテリー切れや圏外状態であっても移動端末の経路情報やその日時、周囲音声を知ることができる。
【００４３】
したがって、例えば移動端末の紛失後かなりの日時が経ったあとで、移動端末の所持者が紛失したことに気がついても、構内通信制御装置からは紛失当日から過去にさかのぼった日までの移動経路とその日時、そしてその時々の周囲音声を聞くことが出来るため、紛失当日の行動が思い出しやすくなるため、紛失端末の探索をし易くすることが可能である。
【００４４】
また、本構成をセキュリティーシステムで行なった場合、移動端末を持ち歩いた子供が迷子になって、連絡が取れなくなった場合、移動端末を探索することで何日の何時何分にどのエリアにいて、周囲音声よりどんな会話内容やどんな環境にいたのかが把握および推測することができる。
【図面の簡単な説明】
【００４５】
【図１】本発明による移動端末の探索システムの実施形態の構成図である。
【図２】紛失端末情報要求元の表示画面に表示された、移動端末が電池低電圧検知によって紛失情報を送った場合の紛失端末情報の一例である。
【図３】紛失端末情報要求元の表示画面に表示された、移動端末が圏外エリア移動によって紛失情報を送った場合の紛失端末情報の一例である。
【図４】本発明による移動端末の探索システムの実施形態の動作フローチャートの一例を示す図である。
【図５】本発明による移動端末の探索システムの実施形態の動作フローチャートの一例を示す図である。
【符号の説明】
【００４６】
１００：移動端末、１１：経路記録部、１２：周囲音声録音部、１３：圏外付近検出部、１４：制御部、１５：低電圧検出部、１６：マイク、１７：電池、１８：無線送受信回路、３００：基地局、４００：構内通信制御装置、５００：紛失端末管理部、６００：内線電話機。
【図１】
2008109330.tif 000003
【図２】
2008109330.tif 000004
【図３】
2008109330.tif 000005
【図４】
2008109330.tif 000006
【図５】
2008109330.tif 000007